(57)【特許請求の範囲】
【請求項１】
横編機の針床の針溝間に収容されて互いに前後方向へ相対移動する針本体及びスライダーを備え、前記スライダーが、スライダー基体と、このスライダー基体に支持され、前記針本体の歯口側を前後方向へ延びるスライダー溝に摺動自在に収容されてそれぞれ後方へ延びる２枚のブレードと、この各ブレードのうちの少なくとも一方の後端に一体又は別体で連設されて後方へ延び、前記スライダーの移動時に略円弧状に湾曲する湾曲部分が摺接して摺動抵抗を付与する摺動抵抗付与板部と、前記スライダー基体に設けられ、前記摺動抵抗付与板部の前後両端のうちのいずれか一方を一側方から固定する固定部及び他方を一側方から摺接させる摺接部と、を有してなる複合針において、
前記スライダー基体は、前記固定部と前記摺接部とを前記湾曲部分の上方又は下方を延びて連結する連結部を備え、
前記連結部は、前記湾曲部分の一側方が切除されており、
前記湾曲部分と前記連結部との間には、隙間が設けられていることを特徴とする横編機の複合針。
【請求項２】
前記摺動抵抗付与板部は、前記各ブレードのうちの一方の後端にのみ連設されている請求項１に記載の横編機の複合針。
【請求項３】
前記摺接部、又は前記摺接部に摺接する前記摺動抵抗付与板部には、切欠部又は孔部が設けられている請求項１又は請求項２に記載の横編機の複合針。
【発明の詳細な説明】
【技術分野】
【０００１】
本発明は、横編機に用いられる複合針に関する。
【背景技術】
【０００２】
横編機の編針として、互いに前後方向へ相対移動する針本体及びスライダーを備えた複合針が用いられることがある。この複合針は、横編機の針床の針溝間に収容されている。また、スライダーは、スライダー基体と、このスライダー基体に支持され、互いに重ね合わせた２枚のブレードとを有し、これらのブレードが針本体の歯口側（前側）を前後方向へ延びるスライダー溝に摺動自在に収容されている。この場合、各ブレードを針本体のフック先端の側面部分に当接させて進出することで左右に分岐させ、フックを越えて進出したブレード間に、これと対向する針床の編針を進出させることで、目移しを行うようにしている。
【０００３】
しかし、スライダーを進出させて各ブレードを左右に開かせる複合針では、目移しなどを行う際に編糸がフックと擦れたりして各ブレード間に風綿等の塵埃が発生し易い。このため、塵埃が編針のフックに付着したりその周辺に堆積したりする。
【０００４】
かかる点から、従来より、各ブレード間にゴミ取りプレートを設けたものが提案されている（特許文献１参照）。
【先行技術文献】
【特許文献】
【０００５】
【特許文献１】特許３９８３７３７号公報
【発明の概要】
【発明が解決しようとする課題】
【０００６】
ところで、フックに付着した塵埃やその周辺に堆積した塵埃は、ゴミ取りプレートの有無にかかわらず、針本体及びスライダーの前後方向への相対移動に伴って針本体の後側へ順次送られる傾向にある。
【０００７】
その場合、各ブレードのうちの少なくとも一方に、スライダーの移動時に略円弧状に突出する湾曲部分を摺接させて摺動抵抗を付与する摺動抵抗付与板部が設けられることがある。この摺動抵抗付与板部の湾曲部分の一側方には、当該湾曲部分とスライダー本体又は他方のブレードとによって仕切られた空間が形成されている。この空間は、針本体の後側へ順次送られた塵埃が堆積し易く、堆積した塵埃によって湾曲部分の一側方へ膨らむ。しかし、この空間の一側方には、スライダー基体が存在するため、堆積した塵埃による空間の一側方への膨らみがスライダー基体との当接によって阻害されてしまう。これでは、空間が湾曲部分の他側方（空間とは逆方向）へ膨らんでしまい、湾曲部分の摺接抵抗が大きくなって、複合針の動きが悪くなる。このため、複合針の動きを円滑に保つ上で、堆積した塵埃によって空間が他側方へ膨らむ前に当該空間内から塵埃を除去する作業を行う必要がある。
【０００８】
本発明の目的は、堆積した塵埃によって空間を他側方へ膨らみ難くして、空間内からの塵埃の除去作業を遅延させることができる横編機の複合針を提供することにある。
【課題を解決するための手段】
【０００９】
前記目的を達成するため、本発明では、横編機の針床の針溝間に収容されて互いに前後方向へ相対移動する針本体及びスライダーを備え、前記スライダーが、スライダー基体と、このスライダー基体に支持され、前記針本体の歯口側を前後方向へ延びるスライダー溝に摺動自在に収容されてそれぞれ後方へ延びる２枚のブレードと、この各ブレードのうちの少なくとも一方の後端に一体又は別体で連設されて後方へ延び、前記スライダーの移動時に略円弧状に湾曲する湾曲部分が摺接して摺動抵抗を付与する摺動抵抗付与板部と、前記スライダー基体に設けられ、前記摺動抵抗付与板部の前後両端のうちのいずれか一方を一側方から固定する固定部及び他方を一側方から摺接させる摺接部と、を有してなる複合針を前提とする。そして、前記スライダー基体に、前記固定部と前記摺接部とを前記湾曲部分の上方又は下方を延びて連結する連結部を設け、この連結部は、前記湾曲部分の一側方が切除されている。更に、前記湾曲部分と前記連結部との間には、隙間が設けられていることを特徴としている。
【００１０】
また、前記摺動抵抗付与板部を、前記各ブレードのうちの一方の後端にのみ連設することが好ましい。
【００１２】
更に、前記摺接部、又は前記摺接部に摺接する前記摺動抵抗付与板部に、切欠部又は孔部を設けることが好ましい。
【発明の効果】
【００１３】
本発明によれば、スライダー基体の固定部と摺接部とを連結する連結部は、湾曲部分の一側方を切除することで、塵埃の堆積による湾曲部分の一側方への空間の膨らみがスライダー基体によって阻害されることがない。これにより、空間が他側方へ膨らみ難くなって複合針の動きが円滑に保たれ、空間内からの塵埃の除去作業を遅延させることができる。
しかも、固定部と摺接部とを湾曲部分の上方又は下方を延びる連結部により連結することで、固定部と摺接部との前後方向の間隔を連結部の長さに応じて任意に設定することが可能となる。これにより、摺動抵抗付与板部の湾曲部分の前後長を長くすることができ、ニードルプレートに対する湾曲部分の摺動抵抗を容易に設定することができる。
また、摺動抵抗付与板部の湾曲部分とスライダー基体の連結部との間に隙間を設けることで、空間に堆積した塵埃が隙間を介して排出され易く、空間内の塵埃の除去作業をさらに遅延させることができる。
【００１４】
また、摺動抵抗付与板部を一方のブレードにのみ連設することで、摺動抵抗付与板部の湾曲部分の一側方の空間が、その一側方のニードルプレートまで拡張される。その上、空間内で堆積した塵埃がスライダーの摺動に伴って前後に移動する。このため、空間内の塵埃が逃げ易くなる上、空間へ塵埃が堆積しても当該空間を満たすまでに十分な時間を稼げる。これにより、空間内の塵埃の除去作業をより遅延させることができる。
【００１６】
更に、摺接部、又は摺接部に摺接する摺動抵抗付与板部の前後両端のうちの他方に、切欠部又は孔部を設けることで、空間に塵埃が堆積しても、その堆積した塵埃が摺動抵抗付与板部の切欠部又は孔部から排出され易い。これにより、空間内の塵埃の除去作業をより一層遅延させることができる。
【図面の簡単な説明】
【００１７】
【図１】本発明の第１の実施の形態に係る横編機の複合針を針溝の並設方向から見た側面図である。
【図２】図１の複合針を分解した状態での側面図である。
【図３】（ａ）は図１の複合針のブレード付近の拡大図、（ｂ）は複合針の摺動抵抗付与板部付近を針床側から見た底面図である。
【図４】第１の実施の形態の変形例を示し、（ａ）は複合針のブレード付近の拡大側面図、（ｂ）は複合針の摺動抵抗付与板部付近の底面図である。
【図５】第１の実施の形態のその他の変形例を示し、（ａ）〜（ｃ）はそれぞれ複合針のブレード付近の拡大側面図である。
【図６】本発明の第２の実施の形態に係る横編機の複合針の側面図である。
【図７】図６の複合針を分解した状態での側面図である。
【図８】（ａ）は図６の複合針のブレード付近の拡大側面図、（ｂ）は複合針の摺動抵抗付与板部付近の底面図である。
【発明を実施するための形態】
【００１８】
次に、本発明の横編機の複合針の好適な実施の形態を図面と共に以下詳細に説明する。
【００１９】
図１は本発明の第１の実施の形態に係る複合針を針溝の並設方向から見た側面図、図２は複合針を分解した状態での側面図を示している。
【００２０】
本発明の複合針１は、図示しない針床の長手方向（図１の紙面手前奥方向）に複数並設され、図示しないヤーンフィーダから編糸が供給される歯口ｇに対して前後方向（図１では左右方向）へ進退移動可能な状態で針溝１０（図３の（ｂ）に表れる）内に収容されている。また、複合針１は、針本体２とスライダー３とで構成されている。そして、針本体２とスライダー３とを前後方向へ相対移動させることで、スライダー３の前端のタング３５が針本体２の前端のフック部２１を開閉し、更にタング３５がフック部２１を超えて前方へ進出移動する。なお、以降の説明において、針本体２及びスライダー３のそれぞれの構成部材についても、歯口ｇ側を前側、その逆側を後側と称することとする。
【００２１】
針本体２は、前端にフック部２１を有するフック部材２２を備えている。また、スライダー３は、スライダー基体３１と、このスライダー基体３１に支持され、互いに重ね合わされた略同一形状の２枚のブレード３２，３３とを備えている。
【００２２】
フック部材２２は、フック部２１の後側に連設されたスライダー溝２４を備え、このスライダー溝２４によって、ブレード３２，３３の前端部を前後方向へ摺動自在に挿入して支持している。また、フック部材２２は、その前後方向略中央部に支持面部２５を備え、この支持面部２５によって、後述するスライダー基体３１の固定部４３及び摺接部４４の下面を摺動自在に支持している。更に、フック部材２２は、その後端部に嵌合凹部２６を備え、この嵌合凹部２６によって、ニードルジャック２３の前端より下方に突出する突起２３１を嵌合して連結している。また、ニードルジャック２３は、フック部材２２の嵌合凹部２６から後方へ延びるアーム２７を有している。このアーム２７は、その後端を針溝１０に当接させるように下方へ湾曲している。ニードルジャック２３の前後方向中央部付近には、上方へ分岐して前方に延びる分岐アーム２８が設けられている。この分岐アーム２８の下方には、スライダー基体３１の後端が抜け落ち不能に支持されている。
【００２３】
ブレード３２，３３は、フック部材２２の針幅方向中央位置において重ね合わされ、それぞれの前端にタング３５が形成されている。
【００２４】
図３の（ａ）は複合針１のブレード３２，３３付近の拡大側面図、（ｂ）は複合針１摺動抵抗付与板部付近を針床側から見た底面図をそれぞれ示している。
図３の（ａ）及び（ｂ）に示すように、スライダー３は、摺動抵抗付与板部３７を備えている。この摺動抵抗付与板部３７の前端は、各ブレード３２，３３のうちの一方（図３の（ａ）では紙面手前側）のブレード３３の後端に一体に連設されて後方へ延びている。摺動抵抗付与板部３７は、スライダー３の移動時に針幅方向他側方（図３の（ｂ）では上方）のニードルプレート１１に対し長手方向中央部が摺接するように略円弧状に湾曲する湾曲部分３７１を有し、この湾曲部分３７１の摺接によってスライダー３に摺動抵抗を付与している。この湾曲部分３７１は、針幅方向他側方へ膨らんでいる。また、スライダー３は、延設部３８を備えている。この延設部３８の前端は、他方（図３の（ａ）では紙面奥側）のブレード３２の後端に一体に連設されて後方へ延びている。延設部３８は、摺動抵抗付与板部３７とほぼ同じ長さに設定されている。そして、摺動抵抗付与板部３７の湾曲部分３７１の針幅方向一側方（図３の（ｂ）では下方）には、湾曲部分３７１と延設部３８とで仕切られた空間３９が設けられている。以下の説明において、針幅方向他側方を単に他側方、針幅方向一側方を単に一側方という。
【００２５】
また、スライダー溝２４の後側には、支持面部２５の針幅方向中央位置を前後方向へ延びるガイド溝４１が連設されている。そして、延設部３８の後部には、支持面部２５の針幅方向中央位置にオフセット曲げしてガイド溝４１の内部まで突出させた突起３８１が一体的に設けられている。この突起３８１は、ガイド溝４１の内部に摺動自在に収容されている。
【００２６】
スライダー基体３１には、各ブレード３２，３３の後端を摺動抵抗付与板部３７及び延設部３８の前端と共に一側方から固定する固定部４３が設けられている。また、スライダー基体３１には、摺動抵抗付与板部３７の後端を延設部３８の後端を介して一側方から摺接させる摺接部４４が設けられている。更に、スライダー基体３１には、固定部４３と摺接部４４とを湾曲部分３７１の上方を前後方向へ延びて連結する連結部３１１が設けられている。そして、連結部３１１は、湾曲部分３７１の一側方が切除されている。これによって、塵埃の堆積による湾曲部分３７１の一側方への空間３９の膨らみがスライダー基体３１によって阻害されることがない。したがって、空間３９が他側方へ膨らみ難くなって複合針１の動きが円滑に保たれ、空間３９内からの塵埃の除去作業を遅延させることができる。
しかも、固定部４３と摺接部４４とを湾曲部分３７１の上方を前後方向へ延びる連結部３１１によって連結することで、固定部４３と摺接部４４との前後方向の間隔を連結部３１１の長さに応じて任意に設定することが可能となる。これにより、摺動抵抗付与板部３７の湾曲部分３７１の前後長を長くすることができ、ニードルプレート１１に対する湾曲部分３７１の摺動抵抗を容易に設定することができる。
【００２７】
更に、摺動抵抗付与板部３７の湾曲部分３７１とスライダー基体３１の連結部３１１との間には、その両者３７１，３１１の上下間を前後方向へ延びる隙間４０が設けられている。これにより、空間３９に堆積した塵埃が隙間４０を介して排出され易くなり、空間３９内の塵埃の除去作業を遅延させる上で非常に有効なものとなる。
【００２８】
固定部４３は、その他側面（図３の（ａ）では紙面手前側面）に凹設された前後方向へ延びる溝４３１と、この溝４３１の前後方向略中間位置の上側に連設された略矩形状の凹部４３２とを備えている。溝４３１には、各ブレード３２，３３の後端が嵌挿されている。また、各ブレード３２，３３の後端には、凹部４３２に対し嵌合される凸部３２３，３３３がそれぞれ突設されている。そして、各ブレード３２，３３の後端は、固定部４３の溝４３１に嵌挿された状態で、凸部３２３，３３３を凹部４３２に対し嵌合し、かしめ固定により摺動抵抗付与板部３７及び延設部３８の前端を伴って固定部４３に固定されている。
【００２９】
摺接部４４は、その他側面に凹設された前後方向へ延びる溝４４１を備えている。この溝４４１には、摺動抵抗付与板部３７及び延設部３８の後端が嵌挿されている。また、溝４４１は、摺動抵抗付与板部３７及び延設部３８の後端との摺接部位を越えると、後方に行くに従い浅くなるように底面が湾曲している。
【００３０】
また、支持面部２５の後端には、上方へ突出する凸部２９が設けられている。この凸部２９の前面には、凹部２９１が設けられている。また、摺接部４４には後方へ突出する凸部４４２が設けられている。そして、スライダー３をスライダー溝２４の後退位置（図１に示す位置）に位置付けた際に、摺接部４４の凸部４４２が凹部２９１に嵌合することで、分岐アーム２８の下方でのスライダー基体３１の後端支持と相俟って、スライダー３が針本体２に対して上方へ外れないように支持される。これらにより、針本体２がスライダー３に対し前後２箇所で拘束され、複合針１を針溝１０から取り外したりする作業が円滑に行える。
【００３１】
ここで、第１の実施の形態の変形例を図４に基づいて説明する。
図４の（ａ）は複合針のブレード付近の拡大側面図、（ｂ）は複合針の摺動抵抗付与板部付近の底面図をそれぞれ示している。なお、摺動抵抗付与板部及び延設部を除くその他の構成は、第１の実施の形態と同じであるので、摺動抵抗付与板部及び延設部の構成についてのみ説明する。
【００３２】
すなわち、図４に示すように、スライダー３は、摺動抵抗付与板部３７を備えている。この摺動抵抗付与板部３７の前端は、各ブレード３２，３３のうちの一方（図４の（ａ）では紙面奥側）のブレード３２の後端に一体に連設されて後方へ延びている。また、他方（図４の（ａ）では紙面手前側）のブレード３３は、固定部４３で一方のブレード３２と共に後端がかしめ固定されている。この場合、他方のブレード３３の後端には延設部がない。
【００３３】
この場合、摺動抵抗付与板部３７の湾曲部分３７１の一側方（図４の（ｂ）では下側）の空間３９は、他方のブレード３２（延設部）により区画されることなく、その一側方のニードルプレート１１まで拡張されている。また、空間３９に堆積した塵埃がスライダー３の移動に伴って摺動抵抗付与板部３７とニードルプレート１１との間で前後に移動し易くなる。このため、空間３９内の塵埃が逃げ易くなる上、空間３９へ塵埃が堆積しても当該空間３９を満たすまでに十分な時間を稼げる。これにより、空間３９内からの塵埃の除去をより遅延させることができる。
【００３４】
なお、本実施の形態の変形例はこれに限らず、図５に示す変形例も含まれる。
図５の（ａ）〜（ｃ）は複合針のブレード付近の拡大側面図をそれぞれ示している。（ａ）の変形例では、摺接部４４には、当該摺接部４４の略中央位置を幅方向に貫通する前後方向に長い略矩形状の孔部４４３を設けている。なお、孔部に代えて、摺接部の前縁に後方へ略凹字状に切り欠いた切欠部や、摺接部の下縁に上方へ略凹字状に切り欠いた切欠部が設けられていてもよい。
また、（ｂ）の変形例では、摺動抵抗付与板部３７の後端に前方へ略凹字状に切り欠いた切欠部３７２を設けている。
更に、（ｃ）の変形例では、摺動抵抗付与板部３７の前端部及び後端部にそれぞれ矩形状の孔部３７３を設けている。
これらの変形例においては、空間３９に塵埃が堆積しても、その堆積した塵埃が摺動抵抗付与板部３７の後端から孔部４４３，３７３又は切欠部３７２を介して排出され易い。これにより、空間３９内の塵埃の除去作業をより一層遅延させることが可能となる。
【００３５】
次に、本発明の第２の実施の形態を図６〜図８に基づいて説明する。
図６は本発明の第２の実施の形態に係る横編機の複合針の側面図を示している。また、図７は複合針を分解した状態での側面図を示している。更に、図８の（ａ）は複合針のブレード付近の拡大側面図、（ｂ）は複合針の摺動抵抗付与板部付近の底面図をそれぞれ示している。なお、スライダー基体を除くその他の構成は、前記第１の実施の形態と同じであるので、スライダー基体の構成についてのみ説明する。
【００３６】
すなわち、図６〜図８に示すように、スライダー基体５１には、固定部４３と摺接部５２とが設けられている。また、スライダー基体５１は、固定部４３と摺接部５２とを連結する連結部５１１を備えている。この連結部５１１は、湾曲部分３７１の下方を前後方向へ延びている。そして、連結部５１１は、湾曲部分３７１の一側方（（図８の（ｂ）では下方）が切除されている。これによって、塵埃の堆積による湾曲部分３７１の一側方への空間３９の膨らみがスライダー基体５１によって阻害されることがない。したがって、空間３９が他側方へ膨らみ難くなって複合針１の動きが円滑に保たれ、空間３９内からの塵埃の除去作業を遅延させることができる。
【００３７】
摺動抵抗付与板部３７の湾曲部分３７１とスライダー基体５１の連結部５１１との間には、その両者３７１，５１１の上下間を前後方向へ延びる隙間４０が設けられている。また、摺接部５２は、その他側面より一側方に凹む段部５２１を備えている。
この場合、摺動抵抗付与板部３７の後端が延設部３８の後端を介して摺接部５２の段部５２１に対し摺接している。
【００３８】
なお、本発明は、前記各実施の形態及び各変形例に限定されるものではなく、その他種々の変形例を包含している。例えば、前記各実施の形態では、一方のブレード３３の後端に摺動抵抗付与板部３７の前端を一体に連設し、他方のブレード３２の後端に延設部３８の前端を一体に連設したが、各ブレードとは別体の摺動抵抗付与板部及び延設部を用意し、各ブレードの後端に、摺動抵抗付与板部及び延設部の前端がそれぞれ別体に連設されていてもよい。また、各ブレードとは別体の摺動抵抗付与板部を用意し、いずれか一方のブレードの後端に、摺動抵抗付与板部の前端が互いに重ね合わせた状態で別体に連設されていてもよい。
【００３９】
更に、前記各実施の形態及び各変形例では、連結部３１１，５１１の前側に固定部４３を、後側に摺接部４４，５２をそれぞれ設けたが、連結部の後側に固定部が、前側に摺接部がそれぞれ設けられていてもよい。
【符号の説明】
【００４０】
１          複合針
１０        針溝
１１        ニードルプレート
２          針本体
３          スライダー
３１        スライダー基体
３１１      連結部
３２，３３  ブレード
３７        摺動抵抗付与板部
３７１      湾曲部分
３７２      切欠部
３７３      孔部
４０        隙間
４３        固定部
４４        摺接部
４４２      孔部
５１        スライダー基体
５１１      連結部
５２        摺接部
ｇ          歯口
【図１】
0005875347.tif 000002
【図２】
0005875347.tif 000003
【図３】
0005875347.tif 000004
【図４】
0005875347.tif 000005
【図５】
0005875347.tif 000006
【図６】
0005875347.tif 000007
【図７】
0005875347.tif 000008
【図８】
0005875347.tif 000009